(57)【特許請求の範囲】
【請求項１】
印刷装置本体に着脱自在に設けられ、該印刷装置本体の装着時に使用済みの孔版原紙が収容される排版ボックスと、この排版ボックスを挿入するボックス挿入口と、このボックス挿入口の対向する位置に回転自在に支持され、前記ボックス挿入口に挿入された前記排版ボックスを保持する回転ガイド部材とを有するごみ箱とを備え、
前記印刷装置本体から取り外された前記排版ボックスを前記ボックス挿入口に挿入し、前記排版ボックスの排版ボックス本体を前記回転ガイド部材に保持された状態で前記排版ボックス本体の開口部が下方に向く方向に回転すると、この回転に連動しない前記排版ボックス側に設けられた掻き出し部材が前記ボックス本体との相対的移動により前記排版ボックス本体の最奥位置より開口部の位置に向かって変移するように構成したことを特徴とする排版原紙処理装置。
【請求項２】
請求項１記載の排版原紙処理装置であって、
前記掻き出し部材は前記排版ボックス本体内の最奥位置と前記排版ボックス本体の開口部の位置との間で移動するように前記排版ボックス本体に回転自在に設けられ、前記排版ボックスを前記ごみ箱のボックス挿入口に挿入して回転する時に、前記掻き出し部材の回転が前記ごみ箱側のストッパー部によって阻止されることによって前記排版ボックス本体の回転に連動しないように構成したことを特徴とする排版原紙処理装置。
【請求項３】
請求項２記載の排版原紙処理装置であって、
前記掻き出し部材は前記排版ボックスの開口部に位置し内部に収容された孔版原紙の膨張を阻止する原紙膨張押さえ部材と連動して回転自在に設けられ、前記排版ボックスを前記ごみ箱のボックス挿入口に挿入して回転する時に、前記原紙膨張押さえ部材が前記ごみ箱側の前記ストッパー部に当接して前記掻き出し部材が前記原紙膨張押さえ部材と共に回転を阻止されることを特徴とする排版原紙処理装置。
【請求項４】
請求項３記載の排版原紙処理装置であって、
前記掻き出し部材と前記原紙膨張押さえ部材とは一体部材として形成されたことを特徴とする排版原紙処理装置。
【請求項５】
請求項３又は請求項４記載の排版原紙処理装置であって、
前記回転ガイド部材は前記排版ボックスを挿入するボックス挿入位置側に付勢手段によって付勢されていることを特徴とする排版原紙処理装置。
【発明の詳細な説明】
【０００１】
【発明の属する技術分野】
本発明は、印刷装置本体の排版ボックスに収容された孔版原紙をごみ箱に捨てる排版原紙処理装置に関する。
【０００２】
【従来の技術】
孔版印刷装置は、感熱ヘッドで所望の画像に対応して孔版原紙に感熱穿孔し、この感熱穿孔した孔版原紙を版胴の外周面に巻装し、この巻装した孔版原紙に圧接するように印刷用紙を供給し、この圧接搬送過程で孔版原紙の穿孔部からインクを印刷用紙に転移させることによってインク画像を印刷するものである。かかる孔版印刷装置においては、印刷終了した孔版原紙を版胴より取り外し、取り外した孔版原紙を排版ボックスまで搬送してここに収容し、新しい所望画像に対応して感熱穿孔した孔版原紙を版胴の外周面に巻装することによって新規な画像による印刷を繰り返しできるようになされている。そして、排版ボックス内に収容される孔版原紙が満杯になると、排版ボックスを印刷装置本体から取り外し、内部の孔版原紙をごみ箱に捨てる必要がある。
【０００３】
図４は従来の排版ボックスとごみ箱の斜視図を示す。図４に示すように、排版ボックス１００は、上方側が上方開口部１０１ａによって開口された排版ボックス本体１０１と、この排版ボックス本体１０１の後面部に一体的に設けられた取手部１０２とを備えている。ごみ箱１０３は上方が開口された一般的なものである。
【０００４】
そして、ユーザは、排版ボックス１００内に収容された図示しない孔版原紙が満杯になると、排版ボックス１００を図示しない印刷装置本体から取り外す。この取り外した排版ボックス１００をごみ箱１０３の位置まで運び、ごみ箱１０３の上方位置で排版ボックス１００の上方開口部１０１ａを下に向け、その排版ボックス本体１０１内の孔版原紙をごみ箱１０３内に落下させることによって孔版原紙を捨てる。
【０００５】
【発明が解決しようとする課題】
しかしながら、前記従来の排版ボックス１００では、排版ボックス本体１０１内に収容された孔版原紙は、圧縮された状態で収容されているため、排版ボックス本体１０１から出た瞬間に膨張したり、又、インクの粘着性によって排版ボックス本体１０１に付着し、所望の位置に落下しなかったりする。そのため、孔版原紙の大きさに比べて十分に大きな広さのごみ箱に捨てる場合には問題ないが、孔版原紙の大きさと同等広さやそれ以下のごみ箱に捨てる際には慎重に取り扱わなければならず、孔版原紙の処理が非常に面倒である。
【０００６】
そこで、本発明は、前記した課題を解決すべくなされたものであり、排版ボックス内の孔版原紙を孔版原紙の大きさに比べて大きくないごみ箱に容易に捨てることができる排版原紙処理装置を提供することを目的とする。
【０００７】
【課題を解決するための手段】
請求項１の発明は、印刷装置本体に着脱自在に設けられ、該印刷装置本体の装着時に使用済みの孔版原紙が収容される排版ボックスと、この排版ボックスを挿入するボックス挿入口と、このボックス挿入口の対向する位置に回転自在に支持され、前記ボックス挿入口に挿入された前記排版ボックスを保持する回転ガイド部材とを有するごみ箱とを備え、前記印刷装置本体から取り外された前記排版ボックスを前記ボックス挿入口に挿入し、前記排版ボックスの排版ボックス本体を前記回転ガイド部材に保持された状態で前記排版ボックス本体の開口部が下方に向く方向に回転すると、この回転に連動しない前記排版ボックス側に設けられた掻き出し部材が前記ボックス本体との相対的移動により前記排版ボックス本体の最奥位置より開口部の位置に向かって変移するように構成したことを特徴とする。
【０００８】
この排版原紙処理装置では、掻き出し部材が排版ボックス本体の最奥位置から開口部に向かって変移する際に、この掻き出し部材が排版ボックス本体にインク粘着性によって付着した孔版原紙を離間させて排版ボックス本体の開口部に移動させると共に、排版ボックス本体より出た孔版原紙はごみ箱内に排出される。孔版原紙が排版ボックス本体より出た瞬間に膨張してもごみ箱内に排出され、以上より、排版ボックス内の孔版原紙を孔版原紙の大きさに比べて大きくないごみ箱に容易に捨てることができる。
【０００９】
請求項２の発明は、請求項１記載の排版原紙処理装置であって、前記掻き出し部材は前記排版ボックス本体内の最奥位置と前記排版ボックス本体の開口部の位置との間で移動するように前記排版ボックス本体に回転自在に設けられ、前記排版ボックス本体を前記ごみ箱のボックス挿入口に挿入して回転する時に、前記掻き出し部材の回転が前記ごみ箱側のストッパー部によって阻止されることによって前記排版ボックス本体の回転に連動しないように構成したことを特徴とする。
【００１０】
この排版原紙処理装置では、請求項１の発明の作用に加え、排版ボックス側に掻き出し部材を設けるため、排版ボックス本体の相対的な回転に際して掻き出し部材を排版ボックス本体の最奥位置から開口部の位置まで容易に変移させることができる。
【００１１】
請求項３の発明は、請求項２記載の排版原紙処理装置であって、前記掻き出し部材は前記排版ボックスの開口部に位置し内部に収容された孔版原紙の膨張を阻止する原紙膨張押さえ部材と連動して回転自在に設けられ、前記排版ボックスを前記ごみ箱のボックス挿入口に挿入して回転する時に、前記原紙膨張押さえ部材が前記ごみ箱側の前記ストッパー部に当接して前記掻き出し部材が前記原紙膨張押さえ部材と共に回転を阻止されることを特徴とする。
【００１２】
この排版原紙処理装置では、請求項２の発明の作用に加え、印刷装置本体から排版ボックスを取り出した際に排版ボックス本体内の孔版原紙が膨張するのを原紙膨張押さえ部材によって押さえられるため、孔版原紙が開口部から膨張により飛び出るのが防止される。又、原紙膨張押さえ部材が回転阻止手段を兼用する。
【００１３】
請求項４の発明は、請求項３記載の排版原紙処理装置であって、前記掻き出し部材と前記原紙膨張押さえ部材とは一体部材として形成されたことを特徴とするものである。
【００１４】
この排版原紙処理装置では、請求項３の発明の作用に加え、掻き出し部材と原紙膨張押さえ部材との連動を容易にさせることができる。
【００１５】
請求項５の発明は、請求項３又は請求項４記載の排版原紙処理装置であって、前記回転ガイド部材は前記排版ボックスを挿入するボックス挿入位置側に付勢手段によって付勢されていることを特徴とする。
【００１６】
この排版原紙処理装置では、請求項３又は請求項４の発明の作用に加え、排版ボックスの未挿入状態では回転ガイド部材が付勢手段の付勢力によってボックス挿入位置に位置し、排版ボックス本体を挿入すると、原紙膨張押さえ部材がストッパー部に干渉する位置に確実に位置される。
【００１７】
【発明の実施の形態】
以下、本発明の一実施形態を図面に基づいて説明する。
【００１８】
図１〜図３は本発明の実施形態を示し、図１は排版ボックスをごみ箱に挿入する前の状態を示す斜視図、図２は排版ボックスをごみ箱に挿入した状態を示す断面図、図３はごみ箱に挿入した排版ボックスを回転させた状態を示す断面図である。
【００１９】
図１〜図３に示すように、排版原紙処理装置は、合成樹脂製の排版ボックス１と、合成樹脂製のごみ箱２０とから成る。この排版ボックス１は、排版ボックス本体２と、この排版ボックス本体２の後面部２ｃに一体的に設けられた取手部３とを備えており、図示しない印刷装置本体に挿入・引出し動作によって着脱自在に設けられている。
【００２０】
図１に示すように、排版ボックス本体２は、前方に向かうに従って徐々に上方に傾斜する傾斜底面部２ａと、この傾斜底面部２ａの両側に配置された側面部２ｂ，２ｂと、傾斜底面部２ａの後方に配置された後面部２ｃとによって内部に原紙収容スペース４が形成され、この原紙収容スペース４の上方は上方開口部５として開口されている。傾斜底面部２ａと後面部２ｃの内面側は凹凸形状に形成され、図示しない孔版原紙がインクによって付着しにくくなっている。
【００２１】
掻き出し部材６と原紙膨張押さえ部材７は一体部材８として一体形成され、この一体部材８は排版ボックス本体２の側面部２ｂ，２ｂの後上端に各支持ピン９を中心に回転自在に支持されている。図１，図２に示すように、掻き出し部材６が排版ボックス本体２の後面部２ｃの内面に密着する最奥位置に位置する際に、原紙膨張押さえ部材７が上方開口部５の位置に位置し、図３に示すように、掻き出し部材６が排版ボックス本体２の上方開口部５の位置に位置する際に、原紙膨張押さえ部材７が上方開口部５より離間する上方位置に位置する。そして、掻き出し部材６と原紙膨張押さえ部材７の一体部材８は、通常の状態では自らの自重によって掻き出し部材６が排版ボックス本体２の後面部２ｃの内面に密着する最奥位置、原紙膨張押さえ部材７が上方開口部５の位置にそれぞれ位置するようになっている。
【００２２】
取手部３の上面には近接状態で握持プレート１１が回転自在に支持され、ユーザが取手部３と共に握持プレート１１を握持すると、ねじりバネ１２の付勢力に抗してロック部材１３がロック解除方向に回動するようになっている。即ち、排版ボックス１は、印刷装置本体に装着されている時にロック部材１３により該印刷装置本体にロックされ、ユーザが取手部３を握持するとそのロックが解除されて排版ボックス１の取り出しを可能とする。
【００２３】
また、ごみ箱２０は、孔版原紙の大きさ程度の広さの収容スペースを有し、上方が開口されたごみ箱本体２１と、このごみ箱本体２１の上方を覆うように配置されたカバー２２とから構成され、カバー２２はごみ箱本体２１に対して着脱自在に設けられている。カバー２２の一側面のほぼ全域及び上面の一部に亘っては開口部２３が設けられており、この開口部２３は回転ガイド部材２４の回転を許容等するためのものである。
【００２４】
カバー２２の内部には回転ガイド部材２４が各支持ピン２５を中心に回転自在に支持されており、回転ガイド部材２４は排版ボックス本体２を水平状態で挿入するボックス挿入位置（図２の位置）と、排版ボックス本体２を略直角に傾ける傾斜位置（図３の位置）との間で回転可能である。カバー２２の開口部２３が設けられた回転ガイド部材２４の面には排版ボックス本体２を挿入するボックス挿入口２６が設けられている。回転ガイド部材２４はボックス挿入口２６に挿入された排版ボックス１を保持し、この排版ボックス１を保持した状態で排版ボックス本体２の上方開口部５が下方に向く方向に回転できるようになっている。回転ガイド部材２４とカバー２２との間にはねじりバネ（付勢手段）２７が介在されており、このねじりバネ２７のバネ力によって排版ボックス本体２がボックス挿入位置（図２の位置）側に付勢されている。
【００２５】
又、カバー２２にはストッパー部２８が設けられ、このストッパー部２８の上方位置にボックス挿入口２６に挿入された排版ボックス１の原紙膨張押さえ部材７の先端が位置される。そして、ストッパー部２８は、排版ボックス本体２が回転ガイド部材２４にガイドされて回転される際に、排版ボックス本体２と共に原紙膨張押さえ部材７が回転されることを阻止する。
【００２６】
次に、上記構成の作用を説明する。ユーザは、排版ボックス１の原紙収容スペース４内に収容された孔版原紙が満杯になると、排版ボックス１を印刷装置本体から取り外す。この取り外した排版ボックス１をごみ箱２０の位置まで運び、ごみ箱２０のボックス挿入口２６に挿入する。図２に示すように、排版ボックス１をボックス挿入口２６に完全に挿入すると、排版ボックス１の原紙膨張押さえ部材７の先端がストッパー部２８の近接上方に位置される。
【００２７】
次に、ユーザが排版ボックス１の取手部３に回転力を付与して、排版ボックス１を図２の矢印方向に回転すると、排版ボックス本体２が回転ガイド部材２４に保持された状態で回転し、この回転によって排版ボックス本体２の上方開口部５が徐々に下方に傾斜される。この排版ボックス本体２の回転によって原紙膨張押さえ部材７及び掻き出し部材６の一体部材８も回転しようとするが、原紙膨張押さえ部材７の回転がストッパー部２８によって阻止されるため、原紙膨張押さえ部材７及び掻き出し部材６の一体部材８が回転せずにその位置を保持する。つまり、排版ボックス本体２が回転する一方で原紙膨張押さえ部材７及び掻き出し部材６の一体部材８が回転しないため、その相対的変移によって、図３に示すように、原紙膨張押さえ部材７が排版ボックス本体２の上方開口部５の位置から徐々に離間する方向に変移すると共に、掻き出し部材６が排版ボックス本体２の最奥位置から上方開口部５の位置へと変移する。
【００２８】
ここで、排版ボックス本体２の上方開口部５を規制していた原紙膨張押さえ部材７が上方開口部５より離れ、掻き出し部材６が排版ボックス本体２の最奥位置から上方開口部５の位置に向かって変移する際に、この掻き出し部材６が排版ボックス本体２にインク粘着性によって付着した孔版原紙を離間させると共に、排版ボックス本体２の上方開口部５にまで強制的に移動させることによって孔版原紙が上方開口部５より排出される。
【００２９】
そして、排版ボックス本体２より排出された孔版原紙はごみ箱２０のカバー２２内に排出されるため、孔版原紙が排版ボックス本体２より出た瞬間に膨張してもごみ箱本体２１内に排出される。以上より、排版ボックス１内の孔版原紙を該孔版原紙の大きさに比べて大きくないごみ箱２０に容易に捨てることができる。孔版原紙を捨てた後は、排版ボックス本体２を元の回転位置まで戻し、排版ボックス１をボックス挿入口２６より引き抜く、この引き抜いた排版ボックス１を再び印刷装置本体に装着すれば良い。
【００３０】
この実施形態では、排版ボックス１側に掻き出し部材６を設けるので、排版ボックス本体２の相対的な回転に際して掻き出し部材６を排版ボックス本体２の最奥位置から上方開口部５の位置まで容易に変移させることができるという利点がある。
【００３１】
この実施形態では、掻き出し部材６は、排版ボックス本体２の上方開口部５に位置し内部に収容された孔版原紙の膨張を阻止する原紙膨張押さえ部材７と連動して回転自在に設けられ、排版ボックス本体２をごみ箱２０のボックス挿入口２６に挿入して回転する時には原紙膨張押さえ部材７がごみ箱２０側のストッパー部２８に当接して掻き出し部材６が原紙膨張押さえ部材７と共に回転を阻止されるので、印刷装置本体から排版ボックス１を取り出した際に排版ボックス本体２内の孔版原紙が膨張するのを原紙膨張押さえ部材７によって押さえられるため、印刷装置本体の装着位置からごみ箱２０に運ぶまでの間に孔版原紙が上方開口部５から膨張により飛び出るのを防止できる。又、排版ボックス本体２の回転時に原紙膨張押さえ部材７が回転阻止手段を兼用するので、部品点数の削減になる。
【００３２】
この実施形態では、掻き出し部材６と原紙膨張押さえ部材７を一体部材８として一体形成したので、掻き出し部材６と原紙膨張押さえ部材７との連動を容易にさせることができるという利点がある。
【００３３】
又、この実施形態では、回転ガイド部材２４は、排版ボックス１を挿入するボックス挿入位置側にねじりバネ２７によって付勢されているので、排版ボックス１の未挿入状態では回転ガイド部材２４がねじりバネ２７のバネ力によってボックス挿入位置に位置し、排版ボックス本体２を挿入すると、原紙膨張押さえ部材７がストッパー部２８に干渉する位置に確実に位置されるため、排版ボックス本体２の回転に際して掻き出し部材６を確実に排版ボックス本体２の最奥位置から上方開口部の位置まで変移させることができる。つまり、排版ボックス本体２をいかなる回転位置で回転ガイド部材２４より引き抜いても該回転ガイド部材２４は元の位置に復帰するため、次の孔版原紙の廃棄動作等が容易である。
【００３４】
【発明の効果】
以上説明したように、請求項１の発明によれば、掻き出し部材が排版ボックスの排版ボックス本体の最奥位置から開口部に向かって変移する際に、この掻き出し部材が排版ボックス本体にインク粘着性によって付着した孔版原紙を離間させて排版ボックス本体の開口部に移動させると共に、排版ボックス本体より出た孔版原紙はごみ箱内に排出されるため、孔版原紙が排版ボックス本体より出た瞬間に膨張してもごみ箱内に排出され、排版ボックス内の孔版原紙を孔版原紙の大きさに比べて大きくないごみ箱に容易に捨てることができる。
【００３５】
請求項２の発明によれば、排版ボックス側に掻き出し部材を設けるため、排版ボックス本体の相対的な回転に際して掻き出し部材を排版ボックス本体の最奥位置から開口部の位置まで容易に変移させることができる。
【００３６】
請求項３の発明によれば、印刷装置本体から排版ボックスを取り出した際に排版ボックス本体内の孔版原紙が膨張するのを原紙膨張押さえ部材によって押さえられるため、孔版原紙が開口部から膨張により飛び出るのを防止することができる。又、原紙膨張押さえ部材が回転阻止手段を兼用するので、部品点数の削減になる。
【００３７】
請求項４の発明によれば、掻き出し部材と原紙膨張押さえ部材とを一体部材として形成されたので、掻き出し部材と原紙膨張押さえ部材との連動を容易にさせることができる。
【００３８】
請求項５の発明によれば、排版ボックスの未挿入状態では回転ガイド部材が付勢手段の付勢力によってボックス挿入位置に位置し、排版ボックス本体を挿入すると、原紙膨張押さえ部材がストッパー部に干渉する位置に確実に位置されるため、排版ボックス本体の回転に際して掻き出し部材を確実に排版ボックス本体の最奥位置から上方開口部の位置まで変移させることができる。
【図面の簡単な説明】
【図１】本発明の一実施形態を示し、排版ボックスをごみ箱に挿入する前の状態を示す斜視図である。
【図２】本発明の一実施形態を示し、排版ボックスをごみ箱に挿入した状態を示す断面図である。
【図３】本発明の一実施形態を示し、ごみ箱に挿入した排版ボックスを回転させた状態を示す断面図である。
【図４】従来の排版ボックスとごみ箱との斜視図である。
【符号の説明】
１  排版ボックス
２  排版ボックス本体
５  上方開口部
６  掻き出し部材
７  原紙膨張押さえ部材
８  一体部材
２０  ごみ箱
２１  ごみ箱本体
２２  カバー
２４  回転ガイド部材
２６  ボックス挿入口
２７  ねじりバネ（付勢手段）
２８  ストッパー部
【図１】
0003734674.tif 000002
【図２】
0003734674.tif 000003
【図３】
0003734674.tif 000004
【図４】
0003734674.tif 000005